(57)【要約】【課題】防水層を貫通せずに、かつ、強固に、瓦の尻部を瓦桟に保持する。【解決手段】  瓦保持クリップ１は、所定の保持位置よりも後方の後方位置から前記保持位置に配されると瓦Ｔの尻部を瓦桟Ｘに保持する横Ｕ字部５０と、前記瓦Ｔ又はその隣の瓦Ｔの尻部の上面に開口した穴Ｔａに挿入される挿入部３０と、横Ｕ字部５０と挿入部３０とを接続した、挿入部３０を前記穴Ｔａに挿入した挿入状態で横Ｕ字部５０を前記後方位置及び前記保持位置に配することができる長さ及び接続方向の接続部４０とを備えている。そして、図３（ａ）に示すように、前記挿入状態で横Ｕ字部５０を前記後方位置に配してから、挿入部３０を軸に接続部４０を径にして横Ｕ字部５０を回動させることで、図３（ｂ）に示すように、横Ｕ字部５０を前記保持位置に配する。【選択図】図３
2015090008.tif 000002
【特許請求の範囲】
【請求項１】
尻部の上面に開口した穴（Ｔａ）を備えた瓦（Ｔ）と、瓦（Ｔ）の尻部の下方に位置する瓦桟（Ｘ）と、瓦保持クリップ（１〜２０）とを用い、
瓦保持クリップ（１〜２０）は、所定の保持位置に配されると前記瓦（Ｔ）又はその隣の瓦（Ｔ）の尻部を瓦桟（Ｘ）に保持する横Ｕ字部（５０）と、横Ｕ字部（５０）に接続され、前記穴（Ｔａ）に挿入される挿入部（３０）とを備え、
挿入部（３０）を前記穴（Ｔａ）に挿入するステップと、横Ｕ字部（５０）を前記保持位置に配するステップとを含む瓦保持方法。
【請求項２】
尻部の上面に開口した穴（Ｔａ）を備えた瓦（Ｔ）と、瓦（Ｔ）の尻部の下方に位置する瓦桟（Ｘ）と、瓦保持クリップ（１，４〜１７，２０）とを用い、
瓦保持クリップ（１，４〜１７，２０）は、所定の保持位置よりも後方の後方位置から前記保持位置に配されると前記瓦（Ｔ）又はその隣の瓦（Ｔ）の尻部を瓦桟（Ｘ）に保持する横Ｕ字部（５０）と、前記穴（Ｔａ）に挿入される挿入部（３０）と、横Ｕ字部（５０）と挿入部（３０）とを接続した、挿入部（３０）を前記穴（Ｔａ）に挿入した挿入状態で横Ｕ字部（５０）を前記後方位置及び前記保持位置に配することができる長さ及び接続方向の接続部（４０）とを備え、
まず、前記挿入状態で横Ｕ字部（５０）を前記後方位置に配してから、次に、挿入部（３０）を軸に接続部（４０）を径にして横Ｕ字部（５０）を回動させることで、横Ｕ字部（５０）を前記保持位置に配する瓦保持方法。
【請求項３】
尻部の上面に開口した穴（Ｔａ）を備えた瓦（Ｔ）と、瓦（Ｔ）の尻部の下方に位置する瓦桟（Ｘ）と、瓦保持クリップ（３，１８，１９）とを用い、
瓦保持クリップ（３，１８，１９）は、所定の保持位置に配されると瓦（Ｔ）の尻部を瓦桟（Ｘ）に保持する横Ｕ字部（５０）と、横Ｕ字部（５０）に分離可能に接続され、前記穴（Ｔａ）に挿入される挿入部（３０）とを備え、
まず、横Ｕ字部（５０）から挿入部（３０）を分離した分離状態で、横Ｕ字部（５０）を前記保持位置に配してから、次に、挿入部（３０）を前記穴（Ｔａ）に挿入するとともに、挿入部（３０）を横Ｕ字部（５０）に接続する瓦保持方法。
【請求項４】
前記穴（Ｔａ）は、瓦桟（Ｘ）の真上で瓦（Ｔ）の尻部を上下方向に貫通した貫通穴であり、挿入部（３０）は、該穴（Ｔａ）に挿入された挿入時に瓦桟（Ｘ）に突き刺さる尖部（３４）を下端に備えた請求項１〜３のいずれか一項に記載の瓦保持方法
【請求項５】
前記穴（Ｔａ）は、瓦桟（Ｘ）よりも前方で瓦（Ｔ）を上下方向に貫通した貫通穴であり、挿入部（３０）は、該穴（Ｔａ）に挿入された挿入時に瓦桟（Ｘ）の真前に延出する長さに設けられた請求項１〜３のいずれか一項に記載の瓦保持方法。
【請求項６】
横Ｕ字部（５０）は、前記保持位置に配されたときに瓦桟（Ｘ）の前面又は瓦桟（Ｘ）の下面に係合する戻止部（５３ａ）を下部（５３）に備えた請求項１〜５のいずれか一項に記載の瓦保持方法。
【請求項７】
横Ｕ字部（５０）が前記保持位置に配されたときに、横Ｕ字部（５０）の下部（５３）は、前側にいくほど瓦桟（Ｘ）の下面から離間する形で瓦桟（Ｘ）の下面に対して斜めに当接する請求項１〜６のいずれか一項に記載の瓦保持方法。
【請求項８】
瓦（Ｔ）の尻部の上面に、前記保持位置に配された瓦保持クリップ（２０）に前記後方位置側から当接することで、瓦保持クリップ（２０）が前記後方位置側に回動するのを防止する戻止突起（Ｔｂ）を備えた請求項２記載の瓦保持方法。
【請求項９】
瓦（Ｔ）の尻部を瓦桟（Ｘ）に保持する横Ｕ字部（５０）と、
横Ｕ字部（５０）に接続され、前記瓦（Ｔ）又はその隣の瓦（Ｔ）の尻部の上面に開口した穴（Ｔａ）に挿入される挿入部（３０）とを備えた瓦保持クリップ。
【請求項１０】
所定の保持位置よりも後方の後方位置から前記保持位置に配されると瓦（Ｔ）の尻部を瓦桟（Ｘ）に保持する横Ｕ字部（５０）と、前記瓦（Ｔ）又はその隣の瓦（Ｔ）の尻部の上面に開口した穴（Ｔａ）に挿入される挿入部（３０）と、横Ｕ字部（５０）と挿入部（３０）とを接続した、挿入部（３０）を前記穴（Ｔａ）に挿入した挿入状態で横Ｕ字部（５０）を前記後方位置及び前記保持位置に配することができる長さ及び接続方向の接続部（４０）とを備え、
前記挿入状態で横Ｕ字部（５０）を前記後方位置に配してから、挿入部（３０）を軸に接続部（４０）を径にして横Ｕ字部（５０）を回動させることで、横Ｕ字部（５０）を前記保持位置に配するように構成された瓦保持クリップ。
【請求項１１】
所定の保持位置に配されると瓦（Ｔ）の尻部を瓦桟（Ｘ）に保持する横Ｕ字部（５０）と、横Ｕ字部（５０）に分離可能に接続され、前記瓦（Ｔ）の尻部の上面に開口した穴（Ｔａ）に挿入される挿入部（３０）とを備え、
横Ｕ字部（５０）から挿入部（３０）を分離した分離状態で、横Ｕ字部（５０）を前記保持位置に配してから、挿入部（３０）を前記穴（Ｔａ）に挿入するとともに、挿入部（３０）を横Ｕ字部（５０）に接続するように構成された瓦保持クリップ。
【発明の詳細な説明】
【技術分野】
【０００１】
本発明は、瓦の尻部を瓦桟に保持する方法及び手段に関する。
【背景技術】
【０００２】
瓦の尻部を瓦桟に保持する手段としては、従来、釘やビスや接着剤等があり、それらの中でも、釘が最も一般的である。その釘を用いた瓦の保持方法（従来例１）では、まず、図２３（ａ）に示すように、瓦Ｔの尻部を瓦桟Ｘの上に置き、次に、図２３（ｂ）に示すように、瓦Ｔの尻部にある釘穴Ｔａに釘８０を打ち付けることで、図２３（ｃ）に示すように、瓦Ｔと瓦桟Ｘと野地Ｂとの三者を釘８０で緊結する。
【０００３】
また、上記以外にも、瓦の尻部を瓦桟に保持する手段としては、図２４に示す従来例２（特許文献１）の瓦把持具９０が提案されている。その瓦把持具９０は、コ字形（横Ｕ字形）の形状をしており、上下の先端には、それぞれ上下内方に向けて突出した係止凸部９１，９２を備えている。その瓦把持具９０を用いた瓦の保持方法では、まず、図２４（ａ）に示すように、瓦Ｔの尻部を瓦桟Ｘの上に置き、次に、その瓦Ｔの尻部と瓦桟Ｘとに後方からコ字形の瓦把持具９０を、上下の先端の係止凸部９１，９２が通るように上下方向に押し広げつつ嵌める。これにより、図２４（ｂ）に示すように、コ字形の瓦把持具９０で瓦Ｔの尻部と瓦桟Ｘとを一緒に上下方向に挟んで保持するとともに、上下の先端の係止凸部９１，９２で瓦把持具９０全体を後方に抜け落ちないように係止する。
【先行技術文献】
【特許文献】
【０００４】
【特許文献１】特開２００１−３２３６０３号公報
【発明の概要】
【発明が解決しようとする課題】
【０００５】
しかしながら、図２３に示す従来例１のように、釘８０で、瓦Ｔと瓦桟Ｘと野地Ｂとの三者を緊結した場合、瓦桟Ｘと野地Ｂとの間にある防水層Ｐ（防水シート）を釘８０が貫通することで防水層Ｐに穴が空いてしまう。その防水層Ｐは、釘８０が貫通しても水漏れしないようになってはいるが、防水の信用性をより長期に渡って高めるためには、防水層Ｐに釘８０すら貫通させない方が好ましい。特に、昨今では、長期優良住宅に対する行政の税制処置などの後押しもあり、住宅における長寿命化が進められている。よって、今後は、より高い耐久性が屋根にも求められ、より長期に渡る防水の信用性が屋根に求められる。
【０００６】
一方、図２４に示す従来例２のように、コ字形の瓦把持具９０で瓦Ｔの尻部と瓦桟Ｘとを一緒に上下方向に挟んで保持した場合、釘８０で固定する場合とは違い、防水層Ｐを貫通することはない。しかしながら、瓦Ｔの尻部と瓦桟Ｘとにコ字形の瓦把持具９０を嵌める際には、上下の先端の係止凸部９１，９２が通るようにコ字形の瓦把持具９０を上下方向に押し広げなければならない。そのため、瓦把持具９０は上下方向に広がる方向に可撓性（弾力性）を有しなければならない。その可撓性により、瓦把持具９０が外れ易くなり、瓦Ｔの尻部を瓦桟Ｘに保持する保持力が弱くなってしまうおそれがある。
【０００７】
そこで、防水層を貫通せずに、かつ、強固に瓦の尻部を瓦桟に保持することを目的とする。
【課題を解決するための手段】
【０００８】
［瓦の保持方法］
上記目的を達成するため、本発明の瓦保持方法は、尻部の上面に開口した穴を備えた瓦と、瓦の尻部の下方に位置する瓦桟と、瓦保持クリップとを用い、瓦保持クリップは、所定の保持位置に配されると前記瓦又はその隣の瓦の尻部を瓦桟に保持する横Ｕ字部と、横Ｕ字部に接続され、前記穴に挿入される挿入部とを備え、挿入部を前記穴に挿入するステップと、横Ｕ字部を前記保持位置に配するステップとを含んでいる。その瓦保持方法の具体的な態様は、特に限定されないが、次の（Ａ）〜（Ｃ）の態様を例示する。
【０００９】
（Ａ）尻部の上面に開口した穴を備えた瓦と、瓦の尻部の下方に位置する瓦桟と、瓦保持クリップとを用い、瓦保持クリップは、所定の保持位置よりも後方の後方位置から前記保持位置に配されると前記瓦又はその隣の瓦の尻部を瓦桟に保持する横Ｕ字部と、前記穴に挿入される挿入部と、横Ｕ字部と挿入部とを接続した、挿入部を前記穴に挿入した挿入状態で横Ｕ字部を前記後方位置及び前記保持位置に配することができる長さ及び接続方向の接続部とを備え、まず、前記挿入状態で横Ｕ字部を前記後方位置に配してから、次に、挿入部を軸に接続部を径にして横Ｕ字部を回動させることで、横Ｕ字部を前記保持位置に配する態様。
【００１０】
（Ｂ）尻部の上面に開口した穴を備えた瓦と、瓦の尻部の下方に位置する瓦桟と、瓦保持クリップとを用い、瓦保持クリップは、所定の保持位置よりも後方の後方位置から前記保持位置に配されると前記瓦の尻部を瓦桟に保持する横Ｕ字部と、横Ｕ字部に接続され、前記瓦の尻部の上面に開口した穴に挿入される挿入部とを備え、挿入部の下端部には半球部が設けられ、まず、半球部を前記穴に挿入した挿入状態で横Ｕ字部を前記後方位置に配してから、次に、半球部を中心に横Ｕ字部を前後方向及び上下方向に延びる面内で回動させることで、横Ｕ字部を前記保持位置に配するように構成された態様。
【００１１】
（Ｃ）尻部の上面に開口した穴を備えた瓦と、瓦の尻部の下方に位置する瓦桟と、瓦保持クリップとを用い、瓦保持クリップは、所定の保持位置に配されると瓦の尻部を瓦桟に保持する横Ｕ字部と、横Ｕ字部に分離可能に接続され、前記穴に挿入される挿入部とを備え、まず、横Ｕ字部から挿入部を分離した分離状態で、横Ｕ字部を前記保持位置に配してから、次に、挿入部を前記穴に挿入するとともに、挿入部を横Ｕ字部に接続する態様。
【００１２】
［瓦保持クリップ全体］
また、同目的を達成するため、本発明の瓦保持クリップは、瓦の尻部を瓦桟に保持する横Ｕ字部と、横Ｕ字部に接続され、前記瓦又はその隣の瓦の尻部の上面に開口した穴に挿入される挿入部とを備えている。その瓦保持クリップの具体的な態様は、特に限定されないが、次の（Ａ）〜（Ｃ）の態様を例示する。
【００１３】
（Ａ）所定の保持位置よりも後方の後方位置から前記保持位置に配されると瓦の尻部を瓦桟に保持する横Ｕ字部と、前記瓦又はその隣の瓦の尻部の上面に開口した穴に挿入される挿入部と、横Ｕ字部と挿入部とを接続した、挿入部を前記穴に挿入した挿入状態で横Ｕ字部を前記後方位置及び前記保持位置に配することができる長さ及び接続方向の接続部とを備え、前記挿入状態で横Ｕ字部を前記後方位置に配してから、挿入部を軸に接続部を径にして横Ｕ字部を回動させることで、横Ｕ字部を前記保持位置に配するように構成された態様。
【００１４】
（Ｂ）所定の保持位置よりも後方の後方位置から前記保持位置に配されると瓦の尻部を瓦桟に保持する横Ｕ字部と、横Ｕ字部に接続され、前記瓦の尻部の上面に開口した穴に挿入される挿入部とを備え、挿入部の下端部には半球部が設けられ、半球部を前記穴に挿入した挿入状態で、横Ｕ字部を前記後方位置に配してから、半球部を中心に横Ｕ字部を前後方向及び上下方向に延びる面内で回動させることで、横Ｕ字部を前記保持位置に配するように構成された態様。
【００１５】
（Ｃ）所定の保持位置に配されると瓦の尻部を瓦桟に保持する横Ｕ字部と、横Ｕ字部に分離可能に接続され、前記瓦の尻部の上面に開口した穴に挿入される挿入部とを備え、横Ｕ字部から挿入部を分離した分離状態で、横Ｕ字部を前記保持位置に配してから、挿入部を前記穴に挿入するとともに、挿入部を横Ｕ字部に接続するように構成された態様。
【００１６】
瓦保持クリップの材質は、特に限定されないが、金属（ステンレス等）や樹脂等を例示する。また、瓦保持クリップの形状は、特に限定されないが、長さ方向に長い線材又は板材が、長さ方向の複数箇所で屈折又は屈曲しては直線状又は曲線状に延びる形状を例示する。
【００１７】
［挿入部］
挿入部を挿入する前記穴は、瓦を上下方向に貫通した貫通穴（従来の釘穴等）であってもよいし、下端に底を備えた有底穴であってもよい。但し、従来の瓦の尻部の釘穴をそのまま利用することができる点で、貫通穴であることが好ましい。また、前記穴の形状は、特に限定されないが、前記穴は、断面形状が円形の円穴である場合や、瓦の幅方向に長い長穴である場合を例示する。そして、長穴の場合には、瓦保持クリップの位置を瓦の幅方向に調節することができる。
【００１８】
挿入部は、１つの穴のみに挿入されてもよいし、穴の長さ方向に連通した複数の穴に跨って挿入されてもよい。その後者の態様は、特に限定されないが、次の態様を例示する。すなわち、左右一方の瓦のオーバーラップ部と、その下方に入り込んだ左右他方の瓦のアンダーラップ部との両方に、穴が軸線を揃えて設けられ、挿入部は、その両方の穴に跨って挿入された態様である。そして、その場合には、１つの瓦保持クリップで２枚の瓦を瓦桟に保持することができる。
【００１９】
挿入部は、次の（ａ）（ｂ）に示すような態様であってもよい。
（ａ）前記穴は、瓦桟の真上で瓦の尻部を上下方向に貫通した貫通穴であり、挿入部は、該穴に挿入された挿入時に瓦桟に突き刺さる尖部を下端に備えた態様。
（ｂ）前記穴は、瓦桟よりも前方で瓦を上下方向に貫通した貫通穴であり、挿入部は、該穴に挿入された挿入時に瓦桟の真前に延出する長さに設けられた態様。
【００２０】
瓦保持クリップは、挿入部を１つのみ備えていてもよいし、挿入部を複数個備えていてもよい。そして、後者の場合、複数個の挿入部は、１枚の瓦の上面に開口した複数個の各穴に挿入されてもよいし、複数個の各瓦の上面に開口した各穴に挿入されてもよい。そして、後者の場合には、１つの瓦保持クリップで複数枚の瓦を瓦桟に固定することができる。
【００２１】
［接続部］
上記（Ａ）の瓦保持方法又は瓦保持クリップの場合の接続部は、特に限定されないが、直線状又は曲線状に延びる態様や、長さ方向の複数箇所で屈折又は屈曲しては直線状又は曲線状に延びる態様を例示する。
【００２２】
［横Ｕ字部］
横Ｕ字部は、特に限定されないが、次の（ａ）（ｂ）の態様を例示する。
（ａ）横Ｕ字部は、同一平面内で並んで延びた上部及び下部と、前記上部の端と前記下部の端とを繋いだ上下繋部とを含み構成された態様。
（ｂ）横Ｕ字部は、互いに捩れの位置になる方向に延びた上部及び下部と、前記上部の端と前記下部の端とを繋いだ上下繋部とを含み構成された態様。
【００２３】
横Ｕ字部の下部は、特に限定されないが、前記保持位置に配されると瓦桟の下面に当接する態様や、瓦桟の後面に突き刺さる態様や、瓦桟に貫設又は凹設された穴に挿入されてその穴の天井面に当接する態様等を例示する。
【００２４】
具体的には、次の（ａ）〜（ｄ）の態様を例示する。
（ａ）防水層の上方にスペーサ（瓦桟と直交する方向に延びる堅桟等）を挟んで瓦桟が固定されたことで、瓦桟と防水層との間には空間が確保され、その空間に横Ｕ字部の下部が入り込む態様。
（ｂ）瓦桟の下面には、瓦桟の幅方向に延びる溝（水抜き溝等）が設けられ、その溝に横Ｕ字部の下部が入り込む態様。
（ｃ）瓦桟には、瓦桟の幅方向に延びる穴が貫設又は凹設され、その穴に横Ｕ字部の下部が入り込む態様。
（ｄ）瓦桟は木材等であって、その瓦桟に横Ｕ字部の下部が突き刺さる態様。
【００２５】
また、横Ｕ字部は、特に限定されないが、前記保持位置に配されたときに瓦桟の前面又は瓦桟の下面に係合する戻止部を下部に備えていることが好ましい。横Ｕ字部を瓦及び瓦桟から外れ難くすることができるからである。その戻止部の態様は、特に限定されないが、次の（ａ）（ｂ）の態様を例示する。
（ａ）戻止部は、横Ｕ字部の下部の先端に設けられた、瓦桟の前面に当接する返しである態様。
（ｂ）戻止部は、横Ｕ字部の下部の上面に設けられた、摩擦で瓦桟の下面と係合する滑止部である態様。
【００２６】
横Ｕ字部の下部は、次の（ａ）（ｂ）に示す態様であってもよい。
（ａ）横Ｕ字部が前記保持位置に配されたときに、前記横Ｕ字部の下部は、前側にいくほど瓦桟の下面から離間する形で瓦桟の下面に対して斜めに当接する態様。
（ｂ）横Ｕ字部の下部は、基端側から先端側に進むに従い細くなる態様。
【００２７】
横Ｕ字部は、下部を１本のみ備えていてもよいし、下部を複数本備えていてもよい。その後者の態様は、特に限定されないが、次の態様を例示する。すなわち、横Ｕ字部は、１本の上部の端から下方に二手に分かれて延びる２本の上下繋部と、その２本の上下繋部の下端からそれぞれ上部と平行に延びる２本の下部とを含み構成された態様である。
【００２８】
瓦保持クリップは、横Ｕ字部を１つのみ備えていてもよいし、横Ｕ字部を複数個備えていてもよい。その後者の態様は、特に限定されないが、次の態様を例示する。すなわち、瓦保持クリップは、複数個の横Ｕ字部と、その複数個の横Ｕ字部どうしを繋いだ繋部とを含み構成された態様である。
【００２９】
また、瓦固定クリップが複数個の横Ｕ字部を備えた場合、その複数個の横Ｕ字部で１枚の瓦を瓦桟に保持してもよいし、その複数個の横Ｕ字部で複数枚の瓦を瓦桟に保持してもよい。その後者の態様は、特に限定されないが、瓦保持クリップは横Ｕ字部を２つ備え、その２つの横Ｕ字部で、隣り合う２枚の瓦の尻部の各１箇所ずつを瓦桟に保持する態様を例示する。
【００３０】
また、１つの横Ｕ字部は、１枚の瓦を瓦桟に保持するものであってもよいし、隣り合う２枚の瓦を瓦桟に保持するものであってもよい。その後者の態様は、特に限定されないが、次の態様を例示する。すなわち、横Ｕ字部は、左右一方の瓦のオーバーラップ部と、その下方に入り込んだ左右他方の瓦のアンダーラップ部とを共に瓦桟に保持する態様である。
【００３１】
［周辺構造］
瓦は、従来からある瓦であってもよいし、専用の瓦であってもよい。その専用の瓦は、特に限定されないが、例えば、上記（Ａ）の瓦保持方法又は瓦保持クリップの場合、次の態様を例示する。すなわち、瓦の尻部の上面に、前記保持位置に配された瓦保持クリップに前記後方位置側から当接することで、瓦保持クリップが前記後方位置側に回動するのを防止する戻止突起を備えた態様である。この専用の瓦によれば、瓦保持クリップに戻止部を設けなくても、瓦の尻部の戻止突起で、瓦保持クリップが前記後方位置側に回動するのを防止することができる。
【発明の効果】
【００３２】
本発明の瓦保持クリップによれば、横Ｕ字部で瓦の尻部を瓦桟に保持するので、釘で固定する場合とは違い、防水層を貫通することがない。また、挿入部が瓦の尻部の穴に挿入されるので、瓦保持クリップが外れ難くなる。よって、防水層を貫通せずに、かつ、強固に瓦の尻部を瓦桟に保持することができる。
【図面の簡単な説明】
【００３３】
【図１】実施例１の瓦保持クリップ及び屋根を示す平面図である。
【図２】（ａ）は実施例１の瓦保持クリップを示す斜視図、（ｂ）はその瓦保持クリップを反転させた斜視図である。
【図３】（ａ）は実施例１の瓦保持クリップの横Ｕ字部を後方位置に配したときを示す斜視図、（ｂ）は保持位置に配したときを示す斜視図である。
【図４】（ａ）は実施例１の瓦保持クリップの横Ｕ字部を後方位置に配したときを示す平面図、（ｂ）は後方位置から保持位置に向けて回動させたときを示す平面図、（ｃ）は保持位置に配したときを示す平面図である。
【図５】（ａ）は実施例２の瓦保持クリップの横Ｕ字部を後方位置に配したときを示す斜視図、（ｂ）は保持位置に配したときを示す斜視図である。
【図６】（ａ）は実施例３の瓦保持クリップの横Ｕ字部を保持位置の後方に配したときを示す斜視図、（ｂ）は保持位置に配したときを示す斜視図、（ｃ）は挿入部３０を穴に挿入したときを示す斜視図である。
【図７】（ａ）は実施例４の瓦保持クリップを示す斜視図、（ｂ）は瓦保持クリップで瓦を瓦桟に保持したときを示す斜視図である。
【図８】（ａ）は実施例５の瓦保持クリップを示す斜視図、（ｂ）は瓦保持クリップで瓦を瓦桟に保持したときを示す斜視図である。
【図９】（ａ）は実施例６の瓦保持クリップを示す斜視図、（ｂ）は瓦保持クリップで瓦を瓦桟に保持したときを示す斜視図である。
【図１０】（ａ）は実施例７の瓦及び瓦桟を示す斜視図、（ｂ）は瓦保持クリップの挿入部を瓦の尻部の穴に挿入したときを示す斜視図である。
【図１１】（ａ）は実施例８の瓦保持クリップの横Ｕ字部を後方位置に配したときを示す斜視図、（ｂ）は保持位置に配したときを示す斜視図である。
【図１２】（ａ）は実施例９の瓦及び瓦桟を示す斜視図、（ｂ）は瓦保持クリップで瓦を瓦桟に保持したときを示す斜視図である。
【図１３】（ａ）は実施例１０の瓦保持クリップを示す斜視図、（ｂ）は瓦保持クリップの挿入部を瓦の尻部の穴に挿入したときを示す斜視図である。
【図１４】（ａ）は実施例１１の瓦保持クリップで瓦を瓦桟に保持したときを示す斜視図、（ｂ）は側面断面図である。
【図１５】（ａ）は実施例１２の瓦保持クリップの横Ｕ字部を後方位置に配したときを示す斜視図、（ｂ）は保持位置に配したときを示す斜視図である。
【図１６】（ａ）は実施例１３の瓦保持クリップの横Ｕ字部を後方位置に配したときを示す斜視図、（ｂ）は保持位置に配したときを示す斜視図である。
【図１７】（ａ）は実施例１４の瓦保持クリップの横Ｕ字部を後方位置に配したときを示す斜視図、（ｂ）は保持位置に配したときを示す斜視図である。
【図１８】（ａ）は実施例１５の瓦保持クリップで瓦を瓦桟に保持したときを示す側面断面図、（ｂ）は実施例１６の瓦保持クリップで瓦を瓦桟に保持したときを示す側面断面図である。
【図１９】（ａ）は実施例１７の瓦保持クリップの横Ｕ字部を後方位置に配したときを示す斜視図、（ｂ）は保持位置に配したときを示す斜視図である。
【図２０】（ａ）は実施例１８の瓦保持クリップの横Ｕ字部を保持位置の後方に配したときを示す斜視図、（ｂ）は保持位置に配して挿入部を穴に挿入したときを示す斜視図である。
【図２１】（ａ）は実施例１９の瓦及び瓦桟を示す斜視図、（ｂ）は瓦保持クリップの横Ｕ字部を保持位置に配して挿入部を穴に挿入したときを示す斜視図である。
【図２２】（ａ）は実施例２０の瓦保持クリップの横Ｕ字部を後方位置に配したときを示す斜視図、（ｂ）は保持位置に配したときを示す斜視図である。
【図２３】（ａ）は従来例１の瓦及び瓦桟を示す斜視図、（ｂ）はその瓦の釘穴に釘を挿入したときを示す斜視図、（ｃ）はその釘で瓦と瓦桟と野地との三者を緊結したときを示す斜視図である。
【図２４】（ａ）は従来例２の瓦把持具を瓦と瓦桟との後方に配したときを示す斜視図、（ｂ）は瓦把持具で瓦を瓦桟に保持したときを示す斜視図である。
【発明を実施するための形態】
【００３４】
以下、本発明の瓦保持クリップを図面を参照に説明する。
【実施例１】
【００３５】
図１〜図４に示す本実施例１の瓦保持クリップ１は、屋根の野地Ｂの上の防水層Ｐの上方に設けられた瓦桟Ｘに、瓦Ｔの尻部を保持するクリップである。この瓦保持クリップ１は、所定の保持位置よりも後方の後方位置から前記保持位置に配されると瓦Ｔの尻部を瓦桟Ｘに保持する横Ｕ字部５０と、前記瓦Ｔの尻部の上面に開口した穴Ｔａ（従来の釘穴）に挿入される挿入部３０と、横Ｕ字部５０の上部５１と挿入部３０の上部とを接続した、挿入部３０を前記穴Ｔａに挿入した挿入状態で横Ｕ字部５０を前記後方位置及び前記保持位置に配することができる長さ及び接続方向の接続部４０とを備えている。そして、この瓦保持クリップ１は、前記挿入状態で横Ｕ字部５０を前記後方位置に配してから、挿入部３０を軸に接続部４０を径にして横Ｕ字部５０を回動させることで、横Ｕ字部５０を前記保持位置に配するように構成されている。
【００３６】
この瓦保持クリップ１は、長さ方向に長い金属（ステンレス等）の線材（円柱状）が、長さ方向の所定の４箇所で屈折又は屈曲しては直線状に延びる形状をしている。この瓦保持クリップ１の各部の詳細は、以下の通りである。
【００３７】
挿入部３０は直線状に延びている。そして、この挿入部３０を挿入する前記穴Ｔａは、瓦Ｔの尻部を上下方向に貫通した断面形状が円形の貫通孔（従来の釘穴）である。そして、接続部４０は、挿入部３０の上端から挿入部３０の長さ方向に対して直交する方向に直線状に延びている。
【００３８】
横Ｕ字部５０は、同一平面内で並んで延びた上部５１及び下部５３と、前記上部５１の端と前記下部５３の端とを繋いだ上下繋部５２とを含み構成されている。そして、前記後方位置から保持位置に配されると、横Ｕ字部５０の下部５３は、防水層Ｐの上面と瓦桟Ｘの下面との間の空間に入り込み、瓦桟Ｘの下面に対して略平行に当接する。この空間は、防水層Ｐの上方に堅桟Ｙを挟んで瓦桟Ｘが固定されたことで確保されている。
【００３９】
そして、横Ｕ字部５０は、前記保持位置に配されたときに瓦桟Ｘの前面に係合する戻止部５３ａを下部５３に備えている。その戻止部５３ａは、前記下部５３の先端に設けられた、前記保持位置に配された際に瓦桟Ｘの前面に当接する返しである。
【００４０】
次に、本実施例１の瓦保持クリップ１と、前記瓦Ｔと、その尻部の下方に位置する前記瓦桟Ｘとを用いて行う瓦保持方法を説明する。すなわち、まず、図３（ａ）及び図４（ａ）に示すように、挿入部３０を前記穴Ｔａに挿入するとともに、その状態（前記挿入状態）で横Ｕ字部５０を前記後方位置に配する。次に、図４（ｂ）に示すように、挿入部３０を軸に接続部４０を径にして横Ｕ字部５０を瓦桟Ｘ側に回動させる。これにより、図４（ｂ）に示すように、横Ｕ字部５０の下部５３の先端（戻止部５３ａ）を瓦桟Ｘの下面の後部に当接させる。その状態から、金槌Ｈ等で横Ｕ字部５０の上下繋部５２を瓦桟Ｘ側に叩くことで、横Ｕ字部５０を更に回動させて、横Ｕ字部５０の下部５３を瓦桟Ｘの下方に押し込む。これにより、図３（ｂ）及び図４（ｃ）に示すように、横Ｕ字部５０を前記保持位置に配する。これにより、瓦保持クリップ１で、瓦Ｔの尻部を瓦桟Ｘに保持する。
【００４１】
本実施例１によれば、次の［Ａ］〜［Ｈ］の効果を得ることができる。
［Ａ］横Ｕ字部５０で瓦Ｔの尻部を瓦桟Ｘに保持するので、釘やビスで固定する場合とは違い、防水層Ｐを貫通することがない。そのため、野地や小屋裏への漏水の発生防止となる。また、釘等が野地を貫通して小屋裏へ飛び出すことで、釘等と小屋裏との温度差によって生じる結露の発生を防止することもできる。そして、これらの漏水や結露を予防することで、屋根の劣化を防ぐことができる。
［Ｂ］挿入部３０が瓦Ｔの尻部の穴Ｔａに挿入されるので、瓦保持クリップ１が外れ難くなる。よって、強固に瓦Ｔの尻部を瓦桟Ｘに保持することができる。
［Ｃ］野地Ｂから瓦Ｔまでの納まり高さを従来通りに設定できるため、住宅会社に仕様提案をし易い。
【００４２】
［Ｄ］挿入部３０を軸に接続部４０を径にして横Ｕ字部５０を回動させるだけで、横Ｕ字部５０を前記保持位置に配することができるので、施工が簡易で分かりやすい。よって、工事業者に提案しやすい。
［Ｅ］挿入部３０と接続部４０と横Ｕ字部５０との三者が１本の線材で一体形成されているので、部品点数が減り、施工の手間の削減やコストの削減に繋がる。
【００４３】
［Ｆ］従来の釘穴Ｔａに、挿入部３０を挿入するので、従来の瓦やそれを僅かに設計変更したのみの瓦でも対応することができる。よって、開発コストを抑えることができる。
［Ｇ］横Ｕ字部５０の上部５１と下部５３とで、瓦Ｔの尻部と瓦桟Ｘとを同一平面内で略平行に挟持するので、瓦Ｔの尻部を瓦桟Ｘに強固に保持することができる。
［Ｈ］横Ｕ字部５０の下部５３の先端に戻止部５３ａ（返し）があるので、前記保持位置に配された横Ｕ字部５０が前記後方位置側に戻り難くなる。
【実施例２】
【００４４】
図５に示す本実施例２の瓦保持クリップ２は、次の点で実施例１と相違し、その他の点で同様である。すなわち、瓦保持クリップ２は、挿入部３０の上部が横Ｕ字部５０の上部５１に直接接続されており、実施例１に記載の接続部４０は備えていない。そして、挿入部３０の下端部には半球部３２が設けられている。そして、この瓦保持クリップ２は、半球部３２を前記穴Ｔａに挿入した挿入状態で、横Ｕ字部５０を前記後方位置に配してから、半球部３２を中心に横Ｕ字部５０を前後方向及び上下方向に延びる面内で回動させることで、横Ｕ字部５０を前記保持位置に配するように構成されている。
【００４５】
次に、本実施例２の瓦保持クリップ２と、前記瓦Ｔと、その尻部の下方に位置する前記瓦桟Ｘとを用いて行う瓦保持方法を説明する。すなわち、まず、図５（ａ）に示すように、半球部３２を前記穴Ｔａに挿入するとともに、その状態（前記挿入状態）で横Ｕ字部５０を前記後方位置に配する。次に、半球部３２を中心に横Ｕ字部５０を前後方向及び上下方向に延びる面内で回動させる。これにより、図５（ｂ）に示すように、横Ｕ字部５０を前記保持位置に配する。これにより、瓦保持クリップ２で、瓦Ｔの尻部を瓦桟Ｘに保持する。
【００４６】
本実施例２によれば、実施例１に記載の接続部４０を省くことができ、それにより、瓦保持クリップ２を短くコンパクトにまとめることができる。但し、横Ｕ字部５０を前後方向及び上下方向に延びる面内で回動させる際には、横Ｕ字部５０の下部５３が下方に大きく延出するので、防水層Ｐの上面と瓦桟Ｘの下面との間には、実施例１の場合よりも広い隙間が必要となり、その点では、実施例１よりも不利である。
【実施例３】
【００４７】
図６に示す本実施例３の瓦保持クリップ３は、次の点で実施例１と相違し、その他の点で同様である。すなわち、瓦保持クリップ３は、挿入部３０の上部が横Ｕ字部５０の上部５１に分離可能に直接接続されており、実施例１に記載の接続部４０は備えていない。そして、この瓦保持クリップ３は、横Ｕ字部５０から挿入部３０を分離した分離状態で、横Ｕ字部５０を前記保持位置に配してから、挿入部３０を前記穴Ｔａに挿入するとともに、挿入部３０の上部を横Ｕ字部５０の上部５１に接続するように構成されている。
【００４８】
より詳しくは、横Ｕ字部５０は、実施例１に記載のような線材ではなく、長さ方向に長い板材で構成されている。そして、横Ｕ字部５０の上部５１には、挿入部３０の挿通させるための挿通穴５１ａが貫設されている。そして、挿入部３０の上端には、他の部分よりも拡径したストッパ３３が設けられている。
【００４９】
次に、本実施例３の瓦保持クリップ３と、前記瓦Ｔと、その尻部の下方に位置する前記瓦桟Ｘとを用いて行う瓦保持方法を説明する。すなわち、まず、図６（ａ）に示すように、横Ｕ字部５０から挿入部３０を分離した分離状態にする。次に、図６（ｂ）に示すように、横Ｕ字部５０を前記保持位置に配する。次に、図６（ｃ）に示すように、挿入部３０を前記穴Ｔａに挿入するとともに、挿入部３０の上部を横Ｕ字部５０の上部５１に接続する。これにより、瓦保持クリップ３で、瓦Ｔの尻部を瓦桟Ｘに保持する。
【００５０】
本実施例３によれば、実施例１に記載の接続部４０を省くことができ、それにより、瓦保持クリップ３を短くコンパクトにまとめることができる。但し、上記の［Ｄ］の効果（回動により施工簡易）及び［Ｅ］の効果（一体形成により部品点数減）ついては得ることができす、その点では、実施例１よりも不利である。
【実施例４】
【００５１】
図７に示す本実施例４の瓦保持クリップ４は、実施例１と比較して、その全体が線材からではなく、長さ方向に長い板材から構成されている点で相違し、その他の点で同様である。本実施例４によっても、実施例１と同様の効果を得ることができる。
【実施例５】
【００５２】
図８に示す本実施例５の瓦保持クリップ５は、実施例１と比較して、接続部４０並びに横Ｕ字部５０の上部５１及び下部５３が直線状にではなく、曲線状に延びている点で相違し、その他の点で同様である。本実施例５によっても、実施例１と同様の効果を得ることができる。
【実施例６】
【００５３】
図９に示す本実施例６の瓦保持クリップ６は、前の実施例５と比較して、その全体が線材からではなく、長さ方向に長い板材から構成されている点で相違し、その他の点で同様である。本実施例６によっても、実施例１と同様の効果を得ることができる。
【実施例７】
【００５４】
図１０に示す本実施例７の瓦保持クリップ７は、実施例１と比較して、挿入部３０を挿入する穴Ｔａが有底穴である点、及び挿入部３０がその穴Ｔａ（有底穴）に収まる長さである点で相違し、その他の点で同様である。本実施例７によれば、穴Ｔａが有底穴の場合にも対応できる。但し、上記の［Ｆ］の効果（従来の瓦等で対応可能）については、得ることができず、その点では、実施例１よりも不利である。
【実施例８】
【００５５】
図１１に示す本実施例８の瓦保持クリップ８は、実施例１と比較して、挿入部３０を挿入する穴Ｔａが瓦Ｔの幅方向に長い長穴である点、及び瓦桟Ｘの下面には、瓦桟Ｘの幅方向（前後方向）に延びる溝Ｘａ（水抜き溝等）が設けられ、その溝Ｘａに横Ｕ字部５０の下部５３が入り込む点で相違し、その他の点で同様である。本実施例８によれば、挿入部３０を挿入する穴Ｔａが長穴なので、瓦保持クリップ１０の位置を該長穴の長さ方向（すなわち、瓦Ｔの幅方向）に調節することができる。そのため、横Ｕ字部５０の下部５３を溝Ｘａに合わせることができる。
【実施例９】
【００５６】
図１２に示す本実施例９の瓦保持クリップ９は、次に示す点で実施例１と相違し、その他の点で同様である。すなわち、左右一方（図では右）の瓦Ｔのオーバーラップ部Ｔｏと、その下方に入り込んだ左右他方（図では左）の瓦Ｔのアンダーラップ部Ｔｕとの両方に、穴Ｔａ，Ｔａが軸線を揃えて設けられている。そして、挿入部３０は、その両方の穴Ｔａ，Ｔａに跨って挿入されている。本実施例９によれば、１つの瓦保持クリップ９で２枚の瓦Ｔを瓦桟Ｘに保持することができる。
【実施例１０】
【００５７】
図１３に示す本実施例１０の瓦保持クリップ１０は、実施例１と比較して、挿入部３０は、穴Ｔａに挿入された挿入時に瓦桟Ｘに突き刺さる尖部３４を下端に備えた点で相違し、その他の点で同様である。なお、前記穴Ｔａは、実施例１でも本実施例１０でも、瓦Ｔの尻部を瓦桟Ｘの上方に置いた状態でみて、瓦桟Ｘの真上で瓦Ｔの尻部を上下方向に貫通している。本実施例１０によれば、挿入部３０の下端の尖部３４を瓦桟Ｘに突き刺すことで、より強固に瓦Ｔを瓦桟Ｘに保持することができる。
【実施例１１】
【００５８】
図１４に示す本実施例１１の瓦保持クリップ１１は、実施例１と比較して、次の点で相違、その他の点で同様である。すなわち、挿入部３０を挿入する穴Ｔａは、瓦Ｔの尻部を瓦桟Ｘの上方に置いた状態でみて、瓦桟Ｘよりも前方で瓦Ｔを上下方向に貫通している。そして、挿入部３０は、前記穴（Ｔａ）に挿入された挿入時に瓦桟Ｘの真前に延出する長さに設けられている。そのため、側面視では、図１４（ｂ）に示すように、瓦保持クリップ１１は瓦桟Ｘを囲い込む。本実施例１１によれば、挿入部３０が瓦桟Ｘの真前に延出するので、瓦Ｔが後方に移動しようとした際には、挿入部３０が瓦桟Ｘの前面に当接することでストッパとなる。そのため、より強固に瓦Ｔを瓦桟Ｘに保持することができる。
【実施例１２】
【００５９】
図１５に示す本実施例１２の瓦保持クリップ１２は、実施例１と比較して、次の点で相違し、その他の点で同様である。すなわち、横Ｕ字部５０は、左右一方（図では右）の瓦Ｔのオーバーラップ部Ｔｏの下方に入り込んだ左右他方（図では左）の瓦Ｔのアンダーラップ部Ｔｕを瓦桟Ｘに保持している。そして、挿入部３０は、左右一方（図では右）の瓦Ｔの上面に開口した穴Ｔａに挿入されている。そして、接続部４０は、挿入部３０の上部から左右一方（図では右）の瓦Ｔのオーバーラップ部Ｔｏの上面に沿って該オーバーラップ部Ｔｏと左右他方（図では左）の瓦Ｔとの間の隙間の上方にまで延びる接続上部４１と、接続上部４１の端から下方に延びて前記隙間に入り込む接続上下繋部４２と、接続上下繋部４２の下端から前記オーバーラップ部Ｔｏと前記アンダーラップ部Ｔｕとの間の隙間に沿って挿入部３０側に延びる接続下部４３とを含み構成されている。本実施例１２によれば、接続上部４１と接続下部４３とで左右一方（図では右）の瓦Ｔのオーバーラップ部Ｔｏを挟持するとともに、横Ｕ字部５０で左右他方（図では左）の瓦Ｔのアンダーラップ部Ｔｕを瓦桟Ｘに保持することで、１つの瓦保持クリップ１２で２枚の瓦Ｔ，Ｔを瓦桟Ｘに保持することができる。
【実施例１３】
【００６０】
図１６に示す本実施例１３の瓦保持クリップ１３は、実施例１と比較して、横Ｕ字部５０の上部５１及び下部５３が、互いに捩れの位置になる方向に延びている点、及び接続部４０が実施例１のものよりも短い点で相違し、その他の点で同様である。本実施例１３によれば、瓦保持クリップ１３を構成する線材の長さを、接続部４０を短くした分だけ実施例１の場合よりも短くすることができる。そのため、コストを削減することができる。但し、上記の［Ｇ］の効果（略平行に強固に挟持）については得ることができす、その点では、実施例１よりも不利である。
【実施例１４】
【００６１】
図１７に示す本実施例１４の瓦保持クリップ１４は、実施例１と比較して、横Ｕ字部５０の下部５３が瓦桟Ｘの下面に当接するのではなく、瓦桟Ｘの後面に突き刺さる点、及び横Ｕ字部５０の下部５３は、挿入部３０を中心とした円弧状に延びている点で相違し、その他の点で同様である。本実施例１４によれば、横Ｕ字部５０の下部５３が瓦桟Ｘの後面に突き刺さるので、防水層Ｐの上面と瓦桟Ｘの下面との間に隙間がなくても瓦保持クリップ１４を取り付けることができる。
【実施例１５】
【００６２】
図１８（ａ）に示す本実施例１５の瓦保持クリップ１５は、実施例１と比較して、横Ｕ字部５０が前記保持位置に配されたときに、横Ｕ字部５０の下部５３は、前側にいくほど瓦桟Ｘの下面から離間する形で瓦桟Ｘの下面に対して斜めに当接する点で相違し、その他の点で同様である。本実施例１５によれば、より強固に瓦Ｔと瓦桟Ｘとを挟持することができる。
【実施例１６】
【００６３】
図１８（ｂ）に示す本実施例１６の瓦保持クリップ１６は、実施例１と比較して、横Ｕ字部５０の下部５３が、基端側から先端側に進むに従い細くなる点で相違し、その他の点で同様である。本実施例１６によれば、横Ｕ字部５０の下部５３の先端側が、細くなっているので、前記下部５３が防水層Ｐに当接し難くなる。そのため、防水層Ｐを破損させ難くなる。また、防水層Ｐの上面と瓦桟Ｘの下面との間の隙間が小さい場合にも対応できるようになる。
【実施例１７】
【００６４】
図１９に示す本実施例１７の瓦保持クリップ１７は、次の点で実施例１と相違し、その他の点で同様である。すなわち、横Ｕ字部５０は、１本の上部５１の端から下方に二手に分かれて延びる２本の上下繋部５２，５２と、その２本の上下繋部５２，５２の下端からそれぞれ上部５１と平行に延びる２本の下部５３，５３とを含み構成されている。本実施例１７によれば、２本の下部５３，５３でより強固に瓦Ｔを瓦桟Ｘに保持することができる。
【実施例１８】
【００６５】
図２０に示す本実施例１８の瓦保持クリップ１８は、次の点で実施例３と相違し、その他の点で同様である。すなわち、瓦保持クリップ１８は、２つの横Ｕ字部５０，５０と、その２つの横Ｕ字部５０，５０どうしを繋いだ繋部６０とを含み構成されている。そして、各横Ｕ字部５０，５０の上部５１，５１には、挿入部３０，３０の上部が接続される。また、瓦Ｔの尻部には、その２つの挿入部３０，３０を挿入するための２つの穴Ｔａ，Ｔａが設けられている。本実施例１８によれば、２つの横Ｕ字部５０，５０で瓦Ｔを瓦桟Ｘに保持するのに加え、２つの挿入部３０，３０が２つの穴Ｔａ，Ｔａに挿入されることで、より強固に瓦Ｔを瓦桟Ｘに保持することができる。
【実施例１９】
【００６６】
図２１に示す本実施例１９の瓦保持クリップ１９は、次の点で前の実施例１８と相違し、その他の点で同様である。すなわち、２つの横Ｕ字部５０，５０で、隣り合う２枚の瓦Ｔ，Ｔの尻部の各１箇所ずつを瓦桟Ｘに保持する。そして、２つの挿入部３０，３０を挿入する穴Ｔａ，Ｔａは、その２枚の瓦Ｔ，Ｔの保持される各１箇所ずつに設けられている。これにより、瓦保持クリップ１９は、２枚の瓦Ｔ，Ｔの上下に重なるオーバーラップ部Ｔｏとアンダーラップ部Ｔｕとを共に保持する。本実施例１９によれば、１つの瓦保持クリップ１９で２枚の瓦Ｔ，Ｔを瓦桟Ｘに保持することができる。
【実施例２０】
【００６７】
図２２に示す本実施例２０の瓦保持クリップ２０は、次の点で実施例１と相違し、その他の点で同様である。すなわち、瓦保持クリップ２０で瓦桟Ｘに保持される瓦Ｔは、その尻部の上面に、前記保持位置に配された瓦保持クリップ２０に前記後方位置側から当接することで、瓦保持クリップ２０が前記後方位置側に回動するのを防止する戻止突起Ｔｂを備えている。そして、横Ｕ字部５０の下部５３には、戻止部５３ａは設けられていない。本実施例２０によれば、瓦保持クリップ２０に戻止部５３ａを設けなくても、瓦Ｔの尻部の戻止突起Ｔｂで、瓦保持クリップ２０が前記後方位置側に回動するのを防止することができる。
【００６８】
なお、本発明は前記実施例の構成に限定されるものではなく、発明の趣旨から逸脱しない範囲で適宜変更して具体化することもできる。
【００６９】
１〜２０  瓦保持クリップ（実施例１〜２０）
３０    挿入部
４０    接続部
５０    横Ｕ字部
５３    横Ｕ字部の下部
５３ａ  戻止部
Ｘ    瓦桟
Ｔ    瓦
Ｔａ  挿入穴
Ｔｂ  戻止突起
【図１】
2015090008.tif 000003
【図２】
2015090008.tif 000004
【図３】
2015090008.tif 000005
【図４】
2015090008.tif 000006
【図５】
2015090008.tif 000007
【図６】
2015090008.tif 000008
【図７】
2015090008.tif 000009
【図８】
2015090008.tif 000010
【図９】
2015090008.tif 000011
【図１０】
2015090008.tif 000012
【図１１】
2015090008.tif 000013
【図１２】
2015090008.tif 000014
【図１３】
2015090008.tif 000015
【図１４】
2015090008.tif 000016
【図１５】
2015090008.tif 000017
【図１６】
2015090008.tif 000018
【図１７】
2015090008.tif 000019
【図１８】
2015090008.tif 000020
【図１９】
2015090008.tif 000021
【図２０】
2015090008.tif 000022
【図２１】
2015090008.tif 000023
【図２２】
2015090008.tif 000024
【図２３】
2015090008.tif 000025
【図２４】
2015090008.tif 000026